(57)【要約】【課題】本発明は、利用者や監視対象の設備の動作状況に応じた画面表示ができる監視画面表示装置の提供を目的とする。【解決手段】本発明に係る監視画面表示装置１は、監視データを受信する監視データ受信部２０と、複数の設備に関する評価軸が記載された評価軸データに基づいて、監視対象となる対象設備を選択して、当該対象設備を記載した対象設備データ得る関連領域選択部６と、対象設備データに基づいて、監視データを表示する画面を含む複数の画面から複数の画面部品を抽出する画面部品抽出部１０と、レイアウトデータに基づいて、複数の画面部品を１つの画面上にレイアウトしてレイアウト画面を作成するレイアウト制御部１６と、を備える。【選択図】図１
2016149039.tif 000002
【特許請求の範囲】
【請求項１】
監視データを受信する監視データ受信部と、
複数の設備に関する評価軸が記載された評価軸データに基づいて、監視対象となる対象設備を選択して、当該対象設備を記載した対象設備データ得る関連領域選択部と、
前記対象設備データに基づいて、前記監視データを表示する画面を含む複数の画面から複数の画面部品を抽出する画面部品抽出部と、
レイアウトデータに基づいて、前記複数の画面部品を１つの画面上にレイアウトしてレイアウト画面を作成するレイアウト制御部と、
を備える、
監視画面表示装置。
【請求項２】
前記関連領域選択部は、前記評価軸データの前記評価軸に基づいて前記対象設備データを得る、
請求項１に記載の監視画面表示装置。
【請求項３】
前記関連領域選択部は、前記評価軸データの使用者が指定した前記評価軸に基づいて前記対象設備データを得る、
請求項１または請求項２に記載の監視画面表示装置。
【請求項４】
前記画面部品抽出部は、前記複数の画面から、前記対象設備データに該当する部分を前記画面部品として抽出する、
請求項１から請求項３のいずれか一項に記載の監視画面表示装置。
【請求項５】
前記監視データの変化に応じて、前記画面部品の表示が変化する、
請求項１から請求項４のいずれか一項に記載の監視画面表示装置。
【請求項６】
前記レイアウト制御部は、前記レイアウトデータに基づいて、抽出された前記画面部品の一部分を切り出す処理、および抽出された前記画面部品を拡大縮小する処理を行う、
請求項１から請求項５のいずれか一項に記載の監視画面表示装置。
【請求項７】
前記レイアウト画面に対する使用者の操作に基づいて前記評価軸を抽出する画面操作処理部をさらに備え、
前記関連領域選択部は、前記評価軸データから、前記画面操作処理部が抽出した前記評価軸に基づいて前記対象設備データを生成する、
請求項１から請求項６のいずれか一項に記載の監視画面表示装置。
【請求項８】
前記レイアウト画面に対する使用者の操作に応じて前記レイアウトデータを抽出する画面操作処理部をさらに備え、
レイアウト制御部は、前記画面操作処理部が抽出した前記レイアウトデータに基づいて、前記複数の画面部品を１つの画面上にレイアウトする、
請求項１から請求項６のいずれか一項に記載の監視画面表示装置。
【請求項９】
使用者が指定した前記評価軸が前記評価軸データに含まれない場合は、当該評価軸データに使用者が指定した前記評価軸を追加する、
請求項３に記載の監視画面表示装置。
【請求項１０】
前記関連領域選択部は、前記評価軸データおよび過去に受信した前記監視データに基づいて、前記対象設備データを得る、
請求項１から請求項９のいずれか一項に記載の監視画面表示装置。
【請求項１１】
前記関連領域選択部は、前記評価軸データおよび過去の前記レイアウト画面に基づいて、前記対象設備データを得る、
請求項１から請求項９のいずれか一項に記載の監視画面表示装置。
【発明の詳細な説明】
【技術分野】
【０００１】
本発明は監視画面表示装置に関し、例えば、エレベータ、ビル設備、計装機器等のさまざまな機器の動作を監視するための監視画面を表示する監視画面表示装置に関する。
【背景技術】
【０００２】
エレベータやビル設備等のさまざまな設備の運転状況や操作履歴などの監視データを表示する監視画面表示装置が知られている。監視画面表示装置には、グラフィックやグラフ，イベント履歴といった監視画面が用意されている。これらの監視画面は、監視機器から電話回線やインターネット回線を経由して取得、蓄積された監視データ、設備の構造や管理情報を表す設備データなどに基づいて表示される。
【０００３】
また、多くの場合では，設備の維持管理用に一般業務向けの帳票画面（以下、業務画面とも称する）も表示される。こうした監視画面表示装置では、使用者は、監視の業務フローに適した画面を見ながら作業を行うことができる。
【０００４】
しかし、設備の異常といった問題が起きた際には，要因特定のために複数の監視画面を交互に参照して対象設備の状況を多角的に把握する必要がある。この際、対象設備に関する情報を揃えにくいことが課題として挙げられる。通常の業務に特化して設計されている監視画面は自由度が低い。そのため、起きる問題の状況ごと、また使用者ごとに監視画面を設計し直す必要があった。このため、監視画面の設計、開発コストが増大する要因となっていた。
【０００５】
例えば、特許文献１では、エレベータの乗りかご内に設置される表示盤において、利用者や日時に応じて表示するコンテンツを切り替える手法が開示されている。乗りかご内外に設置されたカメラからエレベータに乗り込む人物の情報をセンサなどから取得して、取得した情報や、曜日、イベント等によって乗りかご内の表示盤の表示内容を切り替える。
【０００６】
また、特許文献２では、複数のコンテンツをデジタルモンタージュの表示面の表示タイルと関連付けて画面内に配置する方法が開示されている。
【先行技術文献】
【特許文献】
【０００７】
【特許文献１】特開２０１１−１９００８０号公報
【特許文献２】特開２０１４−５１９６７３号公報
【発明の概要】
【発明が解決しようとする課題】
【０００８】
監視画面表示装置において、使用者に適した画面表示を行う場合、利用者の立場や利用状況に応じて画面の再作成をおこなう仕組みが必要となる。使用者は、各画面に散らばる監視データを横断的に閲覧するために、画面を切り替えながら対象設備の情報を把握していた。また、使用者は、複数の画面を一度に開いたうえで対象設備に該当する領域を目視で探し出す必要があった。このように、従来の監視画面表示装置は、使用者が所望する監視画面の領域を探し出すのに不便であり、状況把握に時間がかかる問題があった。
【０００９】
特許文献１は、エレベータの乗りかご内に設置される表示盤において、利用者や日時に応じて表示するコンテンツを切り替える手法である。特許文献１では、予め組み合わせるための図や文章を作成しておく必要があり。動作中に図や文章を切り替える以外の表示ができない。
【００１０】
特許文献２に記載の表示方法によれば、複数のコンテンツをデジタルモンタージュの表示面の表示タイルと関連付けて、画面内に配置する方法が開示されている。業務画面や監視画面を一つのコンテンツとして扱うことは可能であるが、画面から使用者が関心を持つ領域を抽出することができない。また、画面から、設備同士の関連や監視データの抽出ができない。
【００１１】
監視画面では、画面内で表示する図や文字列以外に、監視データを反映するためのシンボル部品が配置されている。監視データによってシンボル部品の色やサイズ、位置などの表示を切り替える。同じ設備であっても監視の種別によっては別シンボルで表現されることや、複数の設備を一纏めにしたシンボル部品として表現されることがある。設備に異常があった際などは、こうした対象設備の構造や関連をもとに、多角的な監視データの閲覧が原因究明の糸口になる。
【００１２】
本発明は以上のような課題を解決するためになされたものであり、利用者や監視対象の設備の動作状況に応じた画面表示ができる監視画面表示装置の提供を目的とする。
【課題を解決するための手段】
【００１３】
本発明に係る監視画面表示装置は、監視データを受信する監視データ受信部と、複数の設備に関する評価軸が記載された評価軸データに基づいて、監視対象となる対象設備を選択して、対象設備を記載した対象設備データ得る関連領域選択部と、対象設備データに基づいて、前記監視データを表示する画面を含む複数の画面から複数の画面部品を抽出する画面部品抽出部と、レイアウトデータに基づいて、複数の画面部品を１つの画面上にレイアウトしてレイアウト画面を作成するレイアウト制御部と、を備える。
【発明の効果】
【００１４】
本発明に係る監視画面表示装置は、評価軸データに基づいて、監視データを表示する既存の画面から画面部品を抽出してレイアウト画面を作成する。評価軸データに使用者の経験、設備同士の関連、動作状況等を含めることにより、さまざまな切り口から監視データを表示することが可能である。監視画面表示装置によれば、状況別、使用者別にカスタマイズした監視画面の設計、開発が不要となり、利便性が向上する。
【図面の簡単な説明】
【００１５】
【図１】実施の形態１に係る監視画面表示装置の機能ブロック図である。
【図２】実施の形態１に係る監視画面表示装置のハードウエア構成図である。
【図３】第１監視画面の一例を示す図である。
【図４】第２監視画面の一例を示す図である。
【図５】グラフ画面の一例を示す図である。
【図６】制御画面の一例を示す図である。
【図７】評価軸データの一例を示す図である。
【図８】評価軸データの一例を示す図である。
【図９】実施の形態１に係る監視画面表示装置が表示する画面の一例を示す図である。
【図１０】設備データの一例を示す図である。
【図１１】対象設備データの一例を示す図である。
【図１２】評価軸データの一例を示す図である。
【図１３】監視データの一例を示す図である。
【図１４】実施の形態１に係る監視画面表示装置の動作を示すフローチャートである。
【図１５】実施の形態１に係る評価軸編集部の動作を示すフローチャートである。
【図１６】実施の形態１に係る関連領域選択部の動作を示すフローチャートである。
【図１７】実施の形態１に係る画面部品抽出部の動作を示すフローチャートである。
【図１８】実施の形態１に係る監視データ収集部の動作を示すフローチャートである。
【図１９】実施の形態１に係る画面部品管理部の動作を示すフローチャートである。
【図２０】実施の形態１に係るレイアウト編集部の動作を示すフローチャートである。
【図２１】実施の形態１に係るレイアウト制御部の動作を示すフローチャートである。
【図２２】実施の形態１に係る画面操作処理部の動作を示すフローチャートである。
【図２３】実施の形態２に係る監視画面表示装置の機能ブロック図である。
【図２４】実施の形態２に係る関連領域選択部の動作を示すフローチャートである。
【図２５】実施の形態２に係る評価軸編集部の動作を示すフローチャートである。
【図２６】実施の形態３に係る監視画面表示装置の機能ブロック図である。
【図２７】実施の形態３に係る関連領域選択部の動作を示すフローチャートである。
【図２８】実施の形態４に係る監視画面表示装置の機能ブロック図である。
【図２９】実施の形態４に係る画面操作処理部の動作を示すフローチャートである。
【図３０】実施の形態４に係る関連領域選択部の動作を示すフローチャートである。
【発明を実施するための形態】
【００１６】
＜実施の形態１＞
＜構成＞
図１は、本実施の形態１に係る監視画面表示装置１の機能ブロック図である。また、図２は、監視画面表示装置１ハードウエア構成を示す図である。図１に示すように、監視画面表示装置１は監視装置２１から後述する監視データを受信し、監視データを監視画面の形式で外部のディスプレイ１９に表示させる。
【００１７】
監視画面表示装置１は、監視データ受信部２０と、関連領域選択部６と、画面部品抽出部１０と、レイアウト制御部１６と、画面表示部１８とを備える。
【００１８】
監視画面表示装置１はさらに、監視データ記憶部８と、評価軸データ記憶部５と、設備データ記憶部７と、画面データ記憶部２３と、レイアウトデータ記憶部１４とを備える。
【００１９】
監視画面表示装置１はさらに、画面操作処理部１７と、評価軸編集部４と、監視データ収集部１２と、画面部品管理部１３と、レイアウト編集部１５とを備える。
【００２０】
監視画面表示装置１、ディスプレイ１９および操作部２２は、例えば監視室に設置される。監視データ受信部２０は、監視装置２１から設備の運転状態を表す監視データを受信
【００２１】
受信した監視データは、監視データ記憶部８に記憶される。なお、監視データを受信する方法として、例えば監視装置２１に搭載された通信ソフトウェアにより、電話回線及びインターネット回線を経由してオンラインで送受信する手法が挙げられる。
【００２２】
画面出力部１８は、例えばＷｅｂブラウザである。画面出力部１８は、レイアウト制御部１６から出力されるＨＴＭＬ、画像データ、音声データ、動画データ、ＪａｖａＳｃｒｉｐｔ（登録商標）といった画面描画用のデータをもとにレイアウト画面の表示を行う。画面操作処理部１７は、Ｗｅｂブラウザを介して操作部２２から入力された操作の処理を行う。
【００２３】
ディスプレイ１９は、例えばテレビやＰＣ用のディスプレイである。ディスプレイ１９は監視画面表示装置１からのレイアウト画面を表示する信号を受けてレイアウト画面を表示する。
【００２４】
関連領域選択部６は、評価軸データに基づいて、監視対象となる対象設備を選択する。そして、対象設備を記載した対象設備データを得る。画面部品抽出部１０は、対象設備データに基づいて、監視データを表示する画面を含む監視画面（第１、第２監視画面２Ａ，２Ｂ、グラフ画面２Ｃ、制御画面３）から複数の画面部品を抽出する。
【００２５】
レイアウト制御部１６は、レイアウトデータに基づいて、複数の画面部品を１つの画面上にレイアウトしてレイアウト画面を作成する。
【００２６】
監視データ記憶部８には、監視データ受信部２０が受信した監視データが記憶される。評価軸データ記憶部５には、評価軸データが記憶される。設備データ記憶部７には設備データが記憶される。レイアウトデータ記憶部１４にはレイアウトデータが記憶される。
【００２７】
図２に示すように、監視画面表示装置１は、ＣＰＵ（Ｃｅｎｔｒａｌ  Ｐｒｏｃｅｓｓｉｎｇ  Ｕｎｉｔ）４１、プログラム記憶装置４２、データ記憶装置４３、ネットワークインターフェース４４、入出力インターフェース４５を備える。ＣＰＵ４１がプログラム記憶装置４２に記憶されているプログラムを実行することにより、評価軸編集部４、関連領域選択部６、画面部品抽出部１０、監視データ収集部１２、画面部品管理部１３、レイアウト編集部１５、レイアウト制御部１６、画面操作処理部１７、画面出力部１８の機能が実現される。また、監視データ記憶部８、評価軸データ記憶部５、設備データ記憶部７、レイアウトデータ記憶部１４、画面データ記憶部２３はデータ記憶装置４３により実現される。データ記憶装置４３は、例えばＨＤＤ（Ｈａｒｄ  ｄｉｓｋ  ｄｒｉｖｅ）である。監視データ受信部２０はネットワークインターフェース４４により実現される。監視画面表示装置１は、入出力インターフェース４５により、外部のディスプレイ１９および操作部２２（例えばキーボード４６およびマウス４７）と接続される。
【００２８】
＜評価軸データおよびレイアウト画面＞
本実施の形態１では、監視の対象となる設備を、第１〜３のエレベータ（以下ＥＶ１、ＥＶ２、ＥＶ３とも記載）およびドア（以下ＤＲ４とも記載）として説明を行う。本実施の形態において監視画面表示装置１の画面データ記憶部２３には、第１、第２監視画面２Ａ，２Ｂ、グラフを表示するグラフ画面２Ｃおよび制御画面３が記憶されているとする。なお、本明細書では、第１、第２監視画面２Ａ，２Ｂ、グラフ画面２Ｃ、制御画面３を包含し、監視画面表示装置１にて表示する画面一般を表す言葉として「監視画面」を用いる。
【００２９】
図３、４は第１、第２監視画面２Ａ，２Ｂの一例を示す図である。図５はグラフ画面２Ｃの一例を示す図である。図６は制御画面３の一例を示す図である。
【００３０】
図３に示す第１監視画面２Ａは、建物の断面の模式図であり、ＥＶ１、ＥＶ２、ＥＶ３がどの階に位置しているかを動的に表す画面である。第１監視画面２Ａにおいて、シンボル部品はＥＶ１、ＥＶ２、ＥＶ３のそれぞれを示す画像である。画面部品２１Ａの領域は、ＥＶ１、ＥＶ３に対応したシンボル部品を含む。画面部品２２Ａの領域は、ＥＶ２に対応したシンボル部品を含む。
【００３１】
図４に示す第２監視画面２Ｂは、建物の任意の階の平面の模式図であり、ＥＶ１、ＥＶ２、ＥＶ３がその階に位置しているかどうか、およびドア（ＤＲ４）の開閉状態を動的に表す画面である。第２監視画面２Ｂにおいて、シンボル部品はＥＶ１、ＥＶ２およびＤＲ４を示す画像である。画面部品２１Ｂの領域は、ＥＶ１、ＥＶ３に対応したシンボル部品を含む。画面部品２２Ｂの領域は、ドア（ＤＲ４）に対応したシンボル部品を含む。
【００３２】
図５に示すグラフ画面２Ｃは、ＥＶ１、ＥＶ２、ＥＶ３の稼働状態を示すグラフである。グラフ画面２Ｃにおいて、シンボル部品はＥＶ１、ＥＶ２、ＥＶ３のそれぞれに対応したグラフである。画面部品２１Ｃ，２２Ｃ，２３Ｃの領域は、ＥＶ１、ＥＶ２、ＥＶ３のそれぞれに対応したシンボル部品（即ちグラフ）を含む。
【００３３】
図６に示す制御画面３は、ＥＶ１、ＥＶ２、ＥＶ３の運転のオン、オフを操作するための画面である。制御画面３において、シンボル部品はＥＶ１、ＥＶ２、ＥＶ３のオン、オフを操作するスイッチの画像である。画面部品３１，３２，３３の領域は、ＥＶ１、ＥＶ２、ＥＶ３のそれぞれに対応したシンボル部品を含む。
【００３４】
図７を用いて、評価軸データについて説明する。評価軸データは、設備に対する複数の評価軸を有する。設備はＥＶ１、ＥＶ２、ＥＶ３およびＤＲ４である。評価軸とは、設備についての画面表示を行うに際し、いかなる観点からの表示を行うかという、いわば画面表示するにあたっての切り口を示すものである。図７に示す評価軸データは「監視」、「制御」、「グラフ」の３つの評価軸を有する。図７に示す評価軸は一例であって、評価軸とは、設備に関する表示の観点を示す情報であればよい。
【００３５】
各評価軸には、どの設備を監視対象とするかを示す領域が設定される。図７の評価軸データにおいては、「監視」、「制御」、「グラフ」の３つの評価軸において、ＥＶ１、ＥＶ２、ＥＶ３およびＤＲ４を監視対象とするように実線で示す領域が設定されている。「監視」の評価軸には第１、第２監視画面２Ａ，２Ｂが対応する。「制御」の評価軸には制御画面３が対応する。「グラフ」の評価軸にはグラフ画面２Ｃが対応する。
【００３６】
図８は、評価軸データの別の例を示す図である。また、図９は図８の評価軸データに基づいて作成されたレイアウト画面を示す図である。図８の評価軸データにおいては、「監視」、「制御」、「グラフ」の３つの評価軸を横断して、ＥＶ１を監視対象とするように実線で示す領域が設定されている。また、「監視」の評価軸においてＤＲ４を監視対象とするように実線で示す領域が設定されている。
【００３７】
図１０は設備データの一例を示す図である。また、図１１は対象設備データの一例を示す図である。図１２に示すように、設備データには、監視対象となり得る設備に関して、設備ＩＤ、設備の名称およびその設備に対応する監視画面の情報が含まれている。
【００３８】
関連領域選択部６は、図８の評価軸データに基づいて図１０の設備データを検索して、図１１の対象設備データを得る。つまり、図８の評価軸データにおいて「監視」の評価軸おいて設定されている領域はＥＶ１とＤＲ４である。よって、関連領域選択部６は、図１０の設備データから、ＥＶ１に関して第１、第２監視画面２Ａ，２Ｂを選択する。また、ＤＲ４に関して第２監視画面２Ｂを選択する。同様に、図８の評価軸データにおいて「制御」の評価軸おいて設定されている領域はＥＶ１である。よって、関連領域選択部６は、図１０の設備データから、ＥＶ１に関して制御画面３を選択する。同様に、図８の評価軸データにおいて「グラフ」の評価軸おいて設定されている領域はＥＶ１である。よって、関連領域選択部６は、図１０の設備データから、ＥＶ１に関してグラフ画面２Ｃを選択する。以上のようにして、関連領域選択部６が選択した設備および監視画面が記載されたのが図１１の対象設備データである。
【００３９】
画面部品抽出部１０は、対象設備データ（図１１）に基づいて、監視画面（第１、第２監視画面２Ａ，２Ｂ、グラフ画面２Ｃ、制御画面３）から画面部品を抽出する。ここでは、第１監視画面２Ａから、ＥＶ１に関する画面部品２１Ａが抽出される。また、第２監視画面２Ｂから、ＥＶ１とＤＲ４に関する画面部品２１Ｂ，２２Ｂが抽出される。また、制御画面３からＥＶ１に関する画面部品３１が抽出される。また、グラフ画面２ＣからＥＶ１に関する画面部品２１Ｃが抽出される。抽出された画面部品２１Ａ，２１Ｂ，２２Ｂ，２１Ｃ，３１は、レイアウトデータに則してレイアウトされ、図９に示すレイアウト画面が作成される。
【００４０】
評価軸データの別の例を図１２に示す。図１２では、新しい評価軸として設備の故障頻度を示す評価軸を追加している。これにより、全ての設備から、故障頻度の高い設備を絞り込むことが可能となる。利用者に理解しやすい見せ方をすることができる．評価軸を増やした場合もレイアウト画面は図９と同様であり、画面部品の内容が切り替わって表示される。
【００４１】
＜監視データ＞
図１３は，監視データ記憶部５に記憶されるエレベータの監視データの一例を示す図である。監視データは、設備（ＥＶ１、ＥＶ２、ＥＶ３、ＤＲ４）を一意に特定するための設備ＩＤ、設備の運転状態を取得した時刻を示す取得時刻、かご位置、かごの進行方向を表す方向、かご内の行先階ボタン操作により登録されるかご呼び階、乗場での呼びボタン操作により登録される乗り場呼び階、運転中か否かを示す進行状態、エレベータのドアの開閉状態を示すドア状態、エレベータの異常を示す異常状態などを含む。
【００４２】
＜動作＞
まず、監視画面表示装置１の基本的な動作について説明する。図１４は、監視画面表示装置１の動作を示すフローチャートである。
【００４３】
まず、関連領域選択部６は、評価軸データの指定された評価軸に基づいて、設備データから、監視の対象となる設備および監視画面を選択して対象設備データを得る（ステップＳ１０１）。次に、画面部品抽出部１０は、対象設備データに基づいて予め用意された画面（第１、第２監視画面２Ａ，２Ｂ、グラフ画面２Ｃ、制御画面３）から、画面部品を抽出する（ステップＳ１０２）。また、監視データ収集部１２は、監視データ記憶部８から対象設備データに対応する監視データを抽出する（ステップＳ１０３）。そして、レイアウト制御部１６は、レイアウトデータに基づいて、監視データが反映された画面部品をレイアウトして、レイアウト画面を作成する（ステップＳ１０４）。最後に、画面表示部１８は、レイアウト画面を外部のディスプレイ１９に出力する（ステップＳ１０５）。
【００４４】
次に、監視画面表示装置１の各部の詳細な動作について説明する。
【００４５】
図１５は、評価軸編集部４の動作を示すフローチャートである。図１５に示すように、評価軸編集部４は、操作部２２を介して使用者から設備検索用の評価式を取得する（ステップＳ０１）。
【００４６】
評価式は例えば、「［検索対象］全画面［条件式］（設備ＩＤ＝０１｜設備ＩＤ＝０３）＆８:００＜時刻＆時刻＜１７:００」のように表される。この評価式は、設備ＥＶ１とＥＶ３に関して、すべての監視画面（即ち、第１、第２監視画面２Ａ，２Ｂ、グラフ画面２Ｃ、制御画面３）を検索対象とすることを意味する。
【００４７】
評価軸編集部４は、取得した評価式に設備同士の関連が定義されているか否かを判定する（ステップＳ０２）。上記評価式の例では、設備同士の関連としてＥＶ１とＥＶ３が定義されている。評価式に設備同士の関連が定義されている場合、その評価式を評価軸データとして評価軸データ記憶部５に記憶する（ステップＳ０３）。一方、評価式に設備同士の関連が定義されていない場合、設備同士の関連を定義した評価式入力を受け付ける（ステップＳ０４）。
【００４８】
図１６は、関連領域選択部６の動作を示すフローチャートである。図１６に示すように、関連領域選択部６は、まず、画面操作処理部１７から評価軸の指定（画面操作処理部１７からの入力）があるか否かを判定する（ステップＳ１１）。評価軸の指定がある場合は、指定された評価軸に関する評価軸データを取得する（ステップＳ１２）。評価軸の指定がない場合は評価軸データをすべて取得する（ステップＳ１３）。次に、取得した評価軸データをもとに設備データを検索する（ステップＳ１４）。次に、検索の結果該当する設備データがあったか否かの判定を行う（ステップＳ１５）。該当する設備データがあった場合は対象設備データとして出力する（ステップＳ１６）。該当する設備データがない場合、関連領域選択部６の動作は終了する。
【００４９】
図１７は、画面部品抽出部１０の動作を示すフローチャートである。図１７に示すように、画面部品抽出部１０は、関連領域選択部６から、対象設備データを取得する（ステップＳ２１）。次に、画面データ記憶部２３に記憶されている監視画面２Ａ，２Ｂ，２Ｃ，３から、対象設備データに対応した画面部品を抽出する（ステップＳ２２）。ここで、対象設備データに対応した画面部品は、対象設備に対応するシンボル部品を含む。そして、抽出した画面部品を画面部品管理部１３に出力する（ステップＳ２３）。ここで、抽出する画面部品は複数であってもよい。
【００５０】
図１８は、監視データ収集部１２の動作を示すフローチャートである。図１８に示すように、監視データ収集部１２は、関連領域選択部６から、対象設備データを取得する（ステップＳ３１）。次に、監視データ記憶部８から対象設備データに対応する監視データを取得する（ステップＳ３２）。そして、取得した監視データを画面部品管理部１３に出力する（ステップＳ３３）。
【００５１】
図１９は、画面部品管理部１３の動作を示すフローチャートである。図１９に示すように、画面部品管理部１３は、画面部品抽出部１０から画面部品を取得する（ステップＳ４１）。次に、画面部品管理部１３は、監視データ収集部１２に対して監視データの収集処理を命令する（ステップＳ４２）。次に、監視データ収集部１２が監視データを取得したか否かの判定を行う（ステップＳ４３）。監視データ収集部１２が監視データを取得した場合は、画面部品に監視データを反映させて、レイアウト制御部１６に出力する（ステップＳ４４）。なお、画面部品管理部１３が取得した画面部品が複数ある場合は、上記工程（ステップＳ４２〜Ｓ４４）を画面部品ごとに複数回行う。
【００５２】
図２０は、レイアウト編集部１５の動作を示すフローチャートである。図２０に示すように、レイアウト編集部1５は、使用者もしくは画面操作処理部１７からのレイアウトデータの入力を取得する（ステップＳ５１）。そして、取得したレイアウトデータをレイアウトデータ記憶部１４に保存する（ステップＳ５２）。
【００５３】
図２１は、レイアウト制御部１６の動作を示すフローチャートである。図２１に示すように、レイアウト制御部１６は、レイアウトデータ記憶部１４からレイアウトデータを取得する（ステップＳ６１）。次に、画面部品管理部１３から、監視データを反映した画面部品を取得する（ステップＳ６２）。
【００５４】
そして、レイアウトデータに則して画面部品を配置して１つのレイアウト画面を構成する（ステップＳ６３）。次に、すべての画面部品がレイアウトデータのレイアウトに収まっているかどうかの判定を行う（ステップＳ６４）。すべての画面部品がレイアウトデータのレイアウトに収まっている場合は、レイアウト画面を画面表示部１８に出力する。一方、レイアウトデータのレイアウトに収まっていない画面部品がある場合は、その画面部品の拡大、縮小もしくはクリッピングを行う（ステップＳ６６）。この処理によって画面部品をレイアウトデータのレイアウトに収めることができる。
【００５５】
図２２は、画面操作処理部１７の動作を示すフローチャートである。図２２に示すように、まず、画面表示部１８はユーザ操作を取得する（ステップＳ７１）。次に、ユーザ操作が評価軸に関連した操作であるか否かの判定を行う（ステップＳ７２）。
【００５６】
ここで、評価軸に関連したユーザ操作とは、例えば図９の様なレイアウト画面が表示されている状態において、ユーザが追加で評価式を入力する操作である。例えばユーザは、図９のレイアウト画面が表示されている状態において、キーボード４６を操作して「ＥＶ１に関するグラフを表示する画面部品２１Ｃに代えて、ＥＶ２の監視画面（例えば第１監視画面２Ａ）を配置する」ことを意味する評価式を入力する。
【００５７】
ステップＳ７２においてユーザ操作が評価軸に関連した操作である場合は、画面操作処理部１７は、ユーザ操作から評価軸データを抽出する（ステップＳ７３）。抽出した評価軸データは評価軸データ記憶部５に記憶される。そして、関連領域選択部６は抽出した評価軸データに基づいて、対象設備データの再作成を行う（ステップＳ７４）。
【００５８】
次に、ユーザ操作がレイアウトに関連した操作であるか否かの判定を行う（ステップＳ７５）。ここで、レイアウトに関連したユーザ操作とは、例えば図９の様なレイアウト画面が表示されている状態において、ユーザがマウス４７を操作することで画面部品の配置、サイズを変更することを指す。
【００５９】
ステップＳ７５においてユーザ操作がレイアウトに関する操作の場合は、画面操作処理部１７は、ユーザ操作からレイアウトデータを抽出する（ステップＳ７６）。抽出したレイアウトデータはレイアウトデータ記憶部１４に記憶される。そして、レイアウト制御部１６は、抽出したレイアウトデータに基づいて画面部品のレイアウトを再度行う（ステップＳ７７）。以上の処理の結果として、ユーザ操作がレイアウト画面の構成に反映される。
【００６０】
なお、本実施の形態１では監視対象となる設備が例えばエレベータであるとして説明を行ったが、設備はこれに限定されない。監視対象となる設備は、監視装置２１がその動作状況に関わる情報を取得できる設備であればよく、例えば、照明設備、空調設備、エスカレータなどでもよい。
【００６１】
＜効果＞
本実施の形態１における監視画面表示装置１は、監視データを受信する監視データ受信部２０と、複数の設備に関する評価軸が記載された評価軸データに基づいて、監視対象となる対象設備を選択して、当該対象設備を記載した対象設備データ得る関連領域選択部６と、対象設備データに基づいて、監視データを表示する画面を含む複数の画面（即ち第１、第２監視画面２Ａ，２Ｂ、グラフ画面２Ｃ、制御画面３）から複数の画面部品を抽出する画面部品抽出部１０と、レイアウトデータに基づいて、複数の画面部品を１つの画面上にレイアウトしてレイアウト画面を作成するレイアウト制御部１６と、を備える。
【００６２】
従って、本実施の形態１における監視画面表示装置１は、評価軸データに基づいて、監視データを表示する既存の画面から画面部品を抽出してレイアウト画面を作成する。評価軸データに使用者の経験、設備同士の関連、動作状況等を含めることにより、さまざまな切り口から監視データを表示することが可能である。監視画面表示装置１によれば、状況別、使用者別にカスタマイズした監視画面の設計、開発が不要となり、利便性が向上する。
【００６３】
また、本実施の形態１における監視画面表示装置１において、関連領域選択部６は、評価軸データの評価軸に基づいて対象設備データを得る。
【００６４】
従って、本実施の形態１における監視画面表示装置１は、さまざまな評価軸を切り口として、既に配備されている画面群（即ち第１、第２監視画面２Ａ，２Ｂ、グラフ画面２Ｃ、制御画面３）からシンボル部品などの必要領域を切り出して、レイアウトデータに則して一覧配置することで、利用者や状況に応じた画面表示をすることが可能である。
【００６５】
また、本実施の形態１における監視画面表示装置１において、関連領域選択部６は、評価軸データの使用者が指定した評価軸に基づいて対象設備データを得る。
【００６６】
従って、使用者は、一覧から評価軸を選択し、あるいは新規に評価軸を指定して監視画面表示装置１の表示を切り替えることが可能である。
【００６７】
また、本実施の形態１における監視画面表示装置１において、画面部品抽出部１０は、複数の画面から、対象設備データに該当する部分を画面部品として抽出する。
【００６８】
従って、本実施の形態１における監視画面表示装置１は、予め配備されている画面から、対象設備データに該当する部分を画面部品として自動的に抽出するため、使用者自身が必要な画面部品を手動で集める必要がない。よって、使用者の利便性が向上する。
【００６９】
また、本実施の形態１における監視画面表示装置１において、監視データの変化に応じて、画面部品の表示が変化する。
【００７０】
例えば、設備に異常が発生したことを監視データが示す場合、監視画面表示装置１は、画面部品中に表示するシンボル部品の色、サイズを変えたり、シンボル部品を動かしたりする。これにより、設備の異常が発生したことを使用者に直感的に伝えることが可能である。
【００７１】
また、本実施の形態１における監視画面表示装置１において、レイアウト制御部１６は、抽出された画面部品の一部分を切り出す処理、および抽出された画面部品を拡大縮小する処理を行う。
【００７２】
従って、例えば、画面部品の数が多い場合は画面部品を縮小することにより、全ての画面部品を１つの画面内にレイアウトすることができる。一方、画面部品の数が少ない場合は、画面部品を拡大することにより、画面内のスペースを有効に利用することができる。また、複数の画面部品を１つの画面内にレイアウトするときに、画面部品の一部分を切り出すことでレイアウトの自由度が向上する。
【００７３】
また、本実施の形態１における監視画面表示装置１は、レイアウト画面に対するユーザ操作に基づいて評価軸を抽出する画面操作処理部１７をさらに備え、関連領域選択部６は、画面操作処理部１７が抽出した評価軸に基づいて対象設備データを得る。
【００７４】
従って、本実施の形態１における監視画面表示装置１では、使用者が興味のあることに気づいていない、もしくは使用者が暗黙知としている評価軸を、使用者の画面操作に基づいて抽出する。よって、使用者自身が評価軸を指定、作成することなく、使用者に適したレイアウト画面を出力することが可能となる。
【００７５】
また、本実施の形態１における監視画面表示装置１は、レイアウト画面に対するユーザ操作に応じてレイアウトデータを抽出する画面操作処理部１７をさらに備え、レイアウト制御部１６は、画面操作処理部１７が抽出したレイアウトデータに基づいて、複数の画面部品を１つの画面上にレイアウトする。
【００７６】
従って、本実施の形態１における監視画面表示装置１では、使用者の画面操作に基づいて使用者が希望するレイアウトデータを抽出する。よって、使用者自身がレイアウトデータを作成することなく、使用者に適したレイアウト画面を出力することが可能となる。
【００７７】
＜実施の形態２＞
＜構成＞
図２３は、本実施の形態２における監視画面表示装置１Ａの機能ブロック図である。図２３において、実施の形態１（図１）で説明したものと同一の構成要素については同一符号を付して説明は省略する。
【００７８】
監視画面表示装置１Ａは、監視画面表示装置１に備わる評価軸編集部４に代えて評価軸編集部４Ａを備える。また、監視画面表示装置１Ａは、監視画面表示装置１に備わる関連領域選択部６に代えて関連領域選択部６Ａを備える。
【００７９】
＜動作＞
図２４は、関連領域選択部６Ａの動作を示すフローチャートである。なお、関連領域選択部６のフローチャート（図１６）で示したものと同一の工程については同一符号を付して説明は省略する。図２４に示すように、関連領域選択部６Ａは、画面操作処理部１７から評価軸の指定（画面操作処理部１７からの入力）がある場合は、指定の評価軸を取得する（ステップＳ１２）。そして、関連領域選択部６Ａは、評価軸編集部４Ａに対して指定の評価軸を出力する（ステップＳ１２ａ）。
【００８０】
図２５は、評価軸編集部４Ａの動作を示すフローチャートである。図２５に示すように、評価軸編集部４Ａは、関連領域選択部６Ａから評価軸の入力を受ける（ステップＳ８１）。そして、入力された評価軸が、評価軸データ記憶部５に記憶されている評価軸データに存在するかどうかを判定する（ステップＳ８２）。
【００８１】
入力された評価軸が既に評価軸データに存在する場合は、評価軸編集部４Ａは動作を終了する。一方、入力された評価軸が既に評価軸データに存在しない場合は、評価軸編集部４Ａは、評価軸データに入力された評価軸を追加する（ステップＳ８３）。評価軸が追加された評価軸データは評価軸データ記憶部５に記憶される。
【００８２】
＜効果＞
本実施の形態２における監視画面表示装置１Ａは、使用者が指定した評価軸が評価軸データに含まれない場合は、評価軸データに使用者が指定した評価軸を追加する。
【００８３】
従って、使用者が指定した評価軸を評価軸データに追加していくことにより、さまざまな評価軸が利用可能となる。また、複数の使用者で監視画面表示装置１Ａを使用する場合は、他の使用者が指定した評価軸が利用可能となるため、利便性が向上する。
【００８４】
＜実施の形態３＞
＜構成＞
図２６は、本実施の形態３における監視画面表示装置１Ｂの機能ブロック図である。図２６において、実施の形態１（図１）で説明したものと同一の構成要素については同一符号を付して説明は省略する。監視画面表示装置１Ｂは、監視画面表示装置１に備わる関連領域選択部６に代えて関連領域選択部６Ｂを備える。
【００８５】
＜動作＞
図２７は、関連領域選択部６Ｂの動作を示すフローチャートである。なお、関連領域選択部６のフローチャート（図１６）で示したものと同一の工程については同一符号を付して説明は省略する。図２７は、図１６におけるステップＳ１５とステップＳ１６の間にステップＳ１５ａ，Ｓ１５ｂを追加したものである。
【００８６】
図２７に示すように、ステップＳ１５において評価軸データに合致する設備データがあると判定された場合、関連領域選択部６Ｂは、その設備に関連する過去の監視データを監視データ記憶部８から取得する（ステップＳ１５ａ）。そして、取得した監視データに基づいて、過去の傾向などから、合致した設備のうち優先度の高い設備を絞り込む（ステップＳ１５ｂ）。そして、絞り込んだ設備を対象設備データとして出力する（ステップＳ１６）。
【００８７】
＜効果＞
本実施の形態３における監視画面表示装置１Ｂにおいて、関連領域選択部６Ｂは、評価軸データおよび過去に受信した監視データに基づいて、対象設備データを得る。
【００８８】
従って、関連領域選択部６Ｂは、過去の監視データを参照して、例えば過去に異常が発生した回数のより多い設備に着目して対象設備を絞り込み、対象設備データを得る。本実施の形態３は、対象設備の数が多い場合に特に有効である。
【００８９】
＜実施の形態４＞
＜構成＞
図２８は、本実施の形態４における監視画面表示装置１Ｃの機能ブロック図である。図２８において、実施の形態１（図１）で説明したものと同一の構成要素については同一符号を付して説明は省略する。監視画面表示装置１Ｃは、監視画面表示装置１に備わる関連領域選択部６に代えて関連領域選択部６Ｃを備える。監視画面表示装置１Ｃは、監視画面表示装置１に備わる画面操作処理部１７に代えて画面操作処理部１７Ｃを備える。また、監視画面表示装置１Ｃは、監視画面表示装置１に対して画面表示履歴データ記憶部２４をさらに備える。
【００９０】
＜動作＞
図２９は、画面操作処理部１７Ｃの動作を示すフローチャートである。図２９に示すように、画面操作処理部１７Ｃは、画面表示部１８が表示中の画面を取得して（ステップＳ９１）、画面履歴データとして画面表示履歴データ記憶部２４に記憶する（ステップＳ９２）。
【００９１】
図３０は、関連領域選択部６Ｃの動作を示すフローチャートである。なお、関連領域選択部６のフローチャート（図１６）で示したものと同一の工程については同一符号を付して説明は省略する。図３０は、図１６におけるステップＳ１５とステップＳ１６の間にステップＳ１５ｃ，Ｓ１５ｄを追加したものである。
【００９２】
図３０に示すように、ステップＳ１５において評価軸データに合致する設備データがあると判定された場合、関連領域選択部６Ｃは、画面表示履歴データ記憶部２４から過去に表示した画面データを取得する（ステップＳ１５ｃ）。そして、関連領域選択部６Ｃは、過去に表示した画面データの傾向から、優先度の高い設備を絞り込む（ステップＳ１５ｄ）。絞り込んだ設備は対象設備データとして出力される（ステップＳ１６）。
【００９３】
＜効果＞
本実施の形態４における監視画面表示装置１Ｃにおいて、関連領域選択部６Ｃは、評価軸データおよび過去のレイアウト画面に基づいて、対象設備データを得る。
【００９４】
従って、監視画面表示装置１Ｃが過去に表示したレイアウト画面を参照して、例えば過去に表示した回数のより多い設備に着目して対象設備を絞り込み、対象設備データを得る。本実施の形態４は、対象設備の数が多い場合に特に有効である。
【００９５】
なお、本発明は、その発明の範囲内において、各実施の形態を自由に組み合わせたり、各実施の形態を適宜、変形、省略することが可能である。
【符号の説明】
【００９６】
１，１Ａ，１Ｂ，１Ｃ  監視画面表示装置、２Ａ  第１監視画面、２Ｂ  第２監視画面、２Ｃ  グラフ画面、３  制御画面、４，４Ａ  評価軸編集部、５  評価軸データ記憶部、６，６Ａ，６Ｂ，６Ｃ  関連領域選択部、７  設備データ記憶部、８  監視データ記憶部、１０  画面部品抽出部、１２  監視データ収集部、１３  画面部品管理部、１４  レイアウトデータ記憶部、１５  レイアウト編集部、１６  レイアウト制御部、１７，１７Ｃ  画面操作処理部、１８  画面表示部、１９  ディスプレイ、２０  監視データ受信部、２１  監視装置、２２  操作部、２３  画面データ記憶部、２４  画面表示履歴データ記憶部、２１Ａ，２２Ａ，２１Ｂ，２２Ｂ，２１Ｃ，２２Ｃ，２３Ｃ，３１，３２，３３  画面部品、４１  ＣＰＵ、４２  プログラム記憶装置、４３  データ記憶装置、４４  ネットワークインターフェース、４５  入出力インターフェース、４６  キーボード、４７  マウス。
【図１】
2016149039.tif 000003
【図２】
2016149039.tif 000004
【図３】
2016149039.tif 000005
【図４】
2016149039.tif 000006
【図５】
2016149039.tif 000007
【図６】
2016149039.tif 000008
【図７】
2016149039.tif 000009
【図８】
2016149039.tif 000010
【図９】
2016149039.tif 000011
【図１０】
2016149039.tif 000012
【図１１】
2016149039.tif 000013
【図１２】
2016149039.tif 000014
【図１３】
2016149039.tif 000015
【図１４】
2016149039.tif 000016
【図１５】
2016149039.tif 000017
【図１６】
2016149039.tif 000018
【図１７】
2016149039.tif 000019
【図１８】
2016149039.tif 000020
【図１９】
2016149039.tif 000021
【図２０】
2016149039.tif 000022
【図２１】
2016149039.tif 000023
【図２２】
2016149039.tif 000024
【図２３】
2016149039.tif 000025
【図２４】
2016149039.tif 000026
【図２５】
2016149039.tif 000027
【図２６】
2016149039.tif 000028
【図２７】
2016149039.tif 000029
【図２８】
2016149039.tif 000030
【図２９】
2016149039.tif 000031
【図３０】
2016149039.tif 000032